(57)【特許請求の範囲】
【請求項１】
シャフトと、該シャフトが回転自在に遊挿される貫通孔が形成されたスリーブと、回転軸心に該シャフトが一体的に構成された円形の天板と該天板から垂下される円筒壁とを有するロータとを備えてなるスピンドルモータであって、
前記スリーブの内周面と前記シャフトの外周面との間には、オイルが保持される微小間隙が形成されると共に、前記ロータの回転に応じて該微小間隙に保持されるオイルに流体動圧を誘起する動圧発生溝が設けられることによってラジアル軸受部が構成され、
前記スリーブの上端面及び天板の底面との間には、オイルが保持される微小間隙が形成されると共に、前記ロータの回転に応じて該微小間隙に保持されるオイルに流体動圧を誘起する動圧発生溝が設けられることによってスラスト軸受部が構成されており、
前記スリーブの外周面には、外径が前記ロータの天板から遠離るにつれて縮径するよう傾斜した傾斜面が形成され、また前記ロータの円筒壁には、内径が前記スリーブ側の前記傾斜面とは異なる角度で且つ前記ロータの天板から遠離るにつれて縮径するよう傾斜した傾斜面を有する円環状のリング状部材が固着され、
前記リング状部材の傾斜面と前記スリーブの傾斜面との間には、回転軸心に対して半径方向外方側から内方側に向かって傾斜し且つ前記ロータの天板から遠離るにつれて間隙の隙間寸法が漸次拡大するテーパシール部が形成され、
前記オイルは、前記ラジアル軸受部、前記スラスト軸受部及び前記テーパシール部に途切れることなく連続して満たされており、且つ前記オイルは前記テーパシール部内のみに界面が形成されていることを特徴とするスピンドルモータ。
【請求項２】
前記スリーブに形成される貫通孔の一方の端部は閉塞部材によってを閉塞され、また前記閉塞部材の内面と前記シャフトの端面との間にはオイルが保持される微小間隙が形成されており、
前記スラスト軸受部に形成される微小間隙と前記ラジアル軸受部に形成される微小間隙と前記閉塞部材の内面と前記シャフトの端面との間に形成される微小間隙は連続して形成されており、また該連続する一連の微小間隙中には、前記テーパシール部に至るまで全体にわたって前記オイルが途切れることなく保持されており、
前記スラスト軸受部には、前記オイルに対して半径方向内方に作用する動圧を誘起するポンプイン形状の前記動圧発生溝が設けられ、また前記ラジアル軸受部には、前記動圧発生溝として実質上同等の圧力を発生する一対のスパイラルグルーブを連接してなるヘリングボーン溝が設けられると共に、前記閉塞部材の内面及び前記シャフトの端面との間には、前記スラスト軸受部で発生する半径方向内方に向かう圧力と実質上均衡する圧力を有する軸受部が形成されている、ことを特徴とする請求項１に記載のスピンドルモータ。
【請求項３】
前記シャフトと前記ロータとは同一の部材から形成され、また前記シャフトの外周面には中空円筒状の外筒部材が装着されており、前記ラジアル軸受部は該外筒部材の外周面と前記スリーブの内周面との間に構成され、
前記外筒部材の内周面と前記シャフトの外周面との間には、前記シャフトの外周面と前記外筒部材の内周面との間を軸線方向上端部から下端部にわたって連続し且つ前記スリーブの内周面と前記外筒部材の外周面との間に形成される微小間隙の軸線方向上下端部に連通する螺旋状の連通孔が形成されており、前記連続する一連の微小間隙に保持されるオイルは、該連通孔を通じて相互に流通可能となり内圧が均一化される、ことを特徴とする請求項２に記載のスピンドルモータ。
【請求項４】
前記ロータは、前記スラスト軸受で発生する動圧の作用方向に対して軸線方向反対側に作用する磁気力によって付勢されている、ことを特徴とする請求項１乃至請求項３のいずれかに記載のスピンドルモータ。
【請求項５】
前記シャフトの前記閉塞部材側の端部には、前記シャフトの外周面から半径方向外方に突出する円板状のプレートが装着され、また前記スリーブには、該プレートに対応して内周面が半径方向外方に凹陥する段部が設けられており、該プレートと該段部とが係合することで、前記ロータの抜け止めが構成されていることを特徴とする請求項１乃至請求項４のいずれかに記載のスピンドルモータ。
【請求項６】
情報を記録できる記録ディスクが回転駆動されるディスク駆動装置において、ハウジングと、該ハウジングの内部に固定され該記録ディスクを回転させるスピンドルモータと、該記録ディスクの所要の位置に情報を書き込み又は読み出すための情報アクセス手段とを有するディスク駆動装置であって、前記スピンドルモータは、請求項１乃至請求項５のいずれかに記載したスピンドルモータである、ことを特徴とするディスク駆動装置。
【請求項７】
前記記録ディスクは、外径が１．８インチ以下であることを特徴とする請求項６に記載のディスク駆動装置。
【発明の詳細な説明】
【０００１】
【発明の属する技術分野】
本発明は、動圧軸受を備えたスピンドルモータ及びこのスピンドルモータを用いたディスク駆動装置に関する。
【０００２】
【従来の技術】
従来から、ハードディスク等の記録ディスクを駆動するディスク駆動装置において使用されるスピンドルモータの軸受として、シャフトとスリーブとを相対回転自在に支持するために、両者の間に介在させたオイル等の潤滑流体の流体圧力を利用する動圧軸受が種々提案されている。
【０００３】
このような動圧軸受を使用するスピンドルモータの一例を図１に示す。図１において図示するスピンドルモータは、ロータａの底面とスリーブｂの上端面との間にロータａの浮上力を発生するためのスラスト軸受部ｃを構成し、またロータａに一体的に設けられたシャフトｄの外周面とスリーブｂの内周面との間に、ロータａの調心や倒れの防止に作用するためのラジアル軸受部ｅ，ｅを構成している。また、スリーブｂが固定されるベース部材ｆには、ステータｇが装着されると共に、ロータａには、ステータｇと対向するようにロータマグネットｈが固着されている。
【０００４】
【発明が解決しようとする課題】
上記のスピンドルモータは、ロータａの底面とスリーブｂの上端面との間にスラスト軸受部ｃを構成し、回転時にロータａの浮上力を得ると共に、ベース部材ｆに強磁性材製のリング状部材ｉをロータマグネットｈと軸線方向に対向するよう配置することで、スラスト軸受部ｃの動圧による浮上力とロータマグネットｈとリング状部材ｉとの間に作用する磁気吸引力とをバランスさせて、ロータａにかかる軸線方向荷重を支持している。つまり、一般的な動圧軸受にみられるような、スラスト軸受部を構成するためにシャフトの端部に取付けられるスラストプレートを採用していない。
【０００５】
このため、軸受剛性を著しく低下させることなくモータの構造を簡略化し且つ低コスト化すると共に、薄型化することが可能になるといったメリットを有するが、このようなスピンドルモータが使用されるディスク駆動装置は、記録ディスクに記憶可能なデータ量が年々増加されており、ディスクの記録面に形成される記録トラックの高密度化及びこれにともなうシークタイム短縮のため、記録ディスクを駆動するスピンドルモータに対する高速回転化の要求が強まりつつある。
【０００６】
上記図１に図示するスピンドルモータでは、スラスト軸受部ｃに保持されるオイルが軸受外部に漏れ出すことを防止する手段として、スリーブｂの外周部とロータａの底面に設けた環状突起ｊの内周面との間で軸線方向のテーパシール部ｋを形成し、このテーパシール部ｋでオイルの内圧と大気圧等をバランスさせることで、メニスカス状の界面を形成し保持していた。
【０００７】
テーパシール部ｋは、シール部内に形成される間隙の隙間寸法を軸受部から離間するにつれて漸次拡大させることで、オイル界面の形成位置によって毛細管力に格差を生じさせ、軸受部で保持するオイル量が減少した場合には、テーパシール部ｋから軸受部へとオイルを供給し、また温度上昇等によって、軸受部内で保持されるオイルの体積が増加した場合には、その増加分を収容する機能を有している。
【０００８】
上記構成は、ラジアル軸受部ｅ，ｅの外周部にテーパシール部ｋを配置することで、テーパシール部ｋがスラスト軸受部ｃやラジアル軸受部ｅ，ｅといった軸受部と軸線方向に重なって構成されないので、スピンドルモータの薄型化をさらに促進する。
【０００９】
しかしながら、上記構成では、テーパシール部ｋが軸受部よりも外周側に位置しているため、例えばラジアル軸受部に軸線方向に隣接してテーパシール部を構成する場合に比べて、回転時にはテーパシール部ｋ内に保持されるオイルに対する遠心力の影響がより強くなる。従って、遠心力によってテーパシール部ｋ内のオイルは、シール部の外周側に押圧されるので、メニスカスの形状が歪になり界面強度が低下する。このため、比較的に微弱な振動や衝撃の印加によって、オイルの界面破壊が容易に引き起こされ、オイルの流出がより発生しやすい状況となる。また、スピンドルモータを更に高速化すると、回転速度の増加にともないモータの発熱量が増大してオイルの体積増加が顕著になる。熱膨張したオイルは、粘性が低下するので、遠心力の影響を更に強く受けることとなり、軸受部側から押し出されるオイル量が増大しテーパシール部ｋ内へと流入するオイルの量が増大することとなる。このとき、スピンドルモータの薄型化という寸法上の制約から、テーパシール部ｋの軸線方向寸法が制限されて容積を十分に確保することができない場合、シール部内に流入るすオイルを収容しきれずに、オイルが軸受外部に流出する懸念がある。
【００１０】
特に、ハードディスク駆動装置のようなディスク駆動装置では、軸受部から流出したオイルが駆動装置内に飛散すると、ディスクの記録面やこれに近接配置されるヘッドに付着し、リード・ライトエラーを引き起こす原因となる。よって、ディスク駆動装置において使用されるスピンドルモータでは、薄型化を可能とする構成を維持しつつ回転速度の高速化に対する要求に応えるために、ラジアル軸受部の外周側にテーパシール部を配置する構成で、シール部として機能するテーパ状の空間をより大きく確保して高容量のテーパシール部とすると共に、シール強度を向上することが可能な構成とする必要がある。
【００１１】
本発明は、薄型の構造を有すると同時に、更なる高速回転に対応してシール強度を強化し、またテーパシール部内の容積を増大させ、十分な量のオイルを保持することが可能なスピンドルモータ並びにこのスピンドルモータを備えたディスク駆動装置を提供することを目的とする。
【００１２】
【課題を解決するための手段】
請求項１に記載の発明は、シャフトと、該シャフトが回転自在に遊挿される貫通孔が形成されたスリーブと、回転軸心に該シャフトが一体的に構成された円形の天板と該天板から垂下される円筒壁とを有するロータとを備えてなるスピンドルモータであって、
前記スリーブの内周面と前記シャフトの外周面との間に、オイルが保持される微小間隙を形成すると共に、前記ロータの回転に応じて該微小間隙に保持されるオイルに流体動圧を誘起する動圧発生溝を設けることによってラジアル軸受部を構成し、
前記スリーブの上端面及び天板の底面との間に、オイルが保持される微小間隙を形成すると共に、前記ロータの回転に応じて該微小間隙に保持されるオイルに流体動圧を誘起する動圧発生溝を設けることによってスラスト軸受部を構成しており、
スリーブの外周面には、外径が前記ロータの天板から遠離るにつれて縮径するよう傾斜した傾斜面が形成され、またロータの円筒壁には、内径がスリーブ側の傾斜面とは異なる角度で且つロータの天板から遠離るにつれて縮径するよう傾斜した傾斜面を有する円環状のリング状部材が固着され、
リング状部材の傾斜面とスリーブの傾斜面との間には、回転軸心に対して半径方向外方側から内方側に向かって傾斜し且つロータの天板から遠離るにつれて間隙の隙間寸法が漸次拡大するテーパシール部が形成され、
オイルは、ラジアル軸受部、スラスト軸受部及びテーパシール部に途切れることなく連続して満たされており、且つオイルはテーパシール部内のみに界面が形成されている。
【００１３】
この構成は、オイルを作動流体として利用する動圧軸受を用いたスピンドルモータにおいて、ラジアル軸受部の外周部にテーパシール部を配置することで、テーパシール部がスラスト軸受部やラジアル軸受部といった軸受部と軸線方向に重ならず、スピンドルモータの薄型化を可能にする構成を維持しつつも、テーパシール部を回転軸心に対して傾斜した形状とすることで、回転軸線と平行又は直交する方向にテーパシール部を構成する場合に比べて、シール部として機能するテーパ状の空間を長くしてテーパシール部内の容積を増大することができる。また、オイルの界面が回転軸心に対して傾斜する方向に向いた状態に形成される、すなわち、界面が半径方向内方を向いて形成されることとなるので、回転時には、遠心力がオイルの界面を押さえ込む方向に作用するようになり、シール強度も高く維持される。
【００１４】
【００１５】
【００１６】
請求項２に記載の発明は、上記請求項１に記載のスピンドルモータにおいて、前記スリーブに形成される貫通孔の一方の端部は閉塞部材によってを閉塞して、前記閉塞部材の内面と前記シャフトの端面との間にはオイルが保持される微小間隙を形成している。前記スラスト軸受部に形成される微小間隙と前記ラジアル軸受部に形成される微小間隙と前記閉塞部材の内面と前記シャフトの端面との間に形成される微小間隙を連続して形成し、また該連続する一連の微小間隙中に、前記テーパシール部に至るまで全体にわたって前記オイルを途切れることなく保持している。前記スラスト軸受部には、前記オイルに対して半径方向内方に作用する動圧を誘起するポンプイン形状の前記動圧発生溝を設け、また前記ラジアル軸受部には、前記動圧発生溝として実質上同等の圧力を発生する一対のスパイラルグルーブを連接してなるヘリングボーン溝を設けると共に、前記閉塞部材の内面及び前記シャフトの端面との間に、前記スラスト軸受部で発生する半径方向内方に向かう圧力と実質上均衡する圧力を有する軸受部を形成している。
【００１７】
請求項３に記載の発明は、上記請求項２に記載のスピンドルモータにおいて、前記シャフトと前記ロータとを同一の部材から形成し、また前記シャフトの外周面に中空円筒状の外筒部材を装着すると共に、前記ラジアル軸受部を該外筒部材の外周面と前記スリーブの内周面との間に構成している。前記外筒部材の内周面と前記シャフトの外周面との間に、前記シャフトの外周面と前記外筒部材の内周面との間を軸線方向上端部から下端部にわたって連続し且つ前記スリーブの内周面と前記外筒部材の外周面との間に形成される微小間隙の軸線方向上下端部に連通する螺旋状の連通孔を形成している。前記連続する一連の微小間隙に保持されるオイルは、該連通孔を通じて相互に流通可能となり内圧が均一化される。
【００１８】
請求項４に記載の発明は、上記請求項１乃至請求項３のいずれかに記載のスピンドルモータにおいて、前記ロータを、前記スラスト軸受で発生する動圧の作用方向に対して軸線方向反対側に作用する磁気力によって付勢している。
【００１９】
請求項５に記載の発明は、上記請求項１乃至請求項４のいずれかに記載のスピンドルモータにおいて、前記シャフトの前記閉塞部材側の端部に、前記シャフトの外周面から半径方向外方に突出する円板状のプレートを装着し、また前記スリーブに、該プレートに対応して内周面が半径方向外方に凹陥する段部を設け、該プレートと該段部とを係合させることで、前記ロータの抜け止めを構成している。
【００２０】
請求項６に記載の発明は、情報を記録できる記録ディスクが回転駆動されるディスク駆動装置において、ハウジングと、該ハウジングの内部に固定され該記録ディスクを回転させるスピンドルモータと、該記録ディスクの所要の位置に情報を書き込み又は読み出すための情報アクセス手段とを有するディスク駆動装置であって、前記スピンドルモータとして、請求項１乃至請求項５のいずれかに記載したスピンドルモータを用いている。
【００２１】
請求項７に記載の発明は、請求項６に記載のディスク駆動装置において、外径が１．８インチ以下の記録ディスクが駆動される。
【００２２】
尚、請求項１以外の請求項に記載する発明は、本発明の実施形態に即した構成に関するものであり、重複した記載を避けるために、各請求項に係る発明の構成による作用効果並びにその原理に関しては、下記発明の実施の形態及び発明の効果において詳述する。
【００２３】
【発明の実施の形態】
以下、本発明に係るスピンドルモータ及びこのスピンドルモータを用いたディスク駆動装置の各実施形態について図２乃至図７を参照して説明するが、本発明は以下に示す実施例に限定されるものではない。
【００２４】
（１）参考例
参考例に係るスピンドルモータに関して、図２及び図３を参照して説明する。
【００２５】
スピンドルモータの構造
図２に図示されるスピンドルモータは、略円板状の上壁部２ａ（天板）と、この上壁部２ａの外周縁部から下方に垂下する円筒状周壁部２ｂとから構成されるロータハブ２と、このロータハブ２の上壁部２ａの中央部に一方の端部が外嵌固定されるシャフト４とから構成されるロータ６と、このシャフト４を回転自在に支持する中空円筒状のスリーブ８と、このスリーブ８の下部を閉塞するカバー部材１０と、スリーブ８を保持する円筒部１２が一体的に形成されたブラケット１４とを具備する。
【００２６】
ブラケット１４の円筒部１２の外周側には、ステータ１６が配設され、ロータハブ２の周壁部２ｂの内周面には、このステータ１６と半径方向に間隙を介して対向して、ロータマグネット１８が固着される。
【００２７】
また、ロータハブ２の周壁部２ｂの外周面には、ハードディスク等の記録ディスク（図７においてディスク板５３として図示する）が載置されるフランジ状のディスク載置部２ｃが設けられている。
【００２８】
シャフト４には、これを貫通する貫通孔４ａが回転軸心と同軸状に形成されている。この貫通孔４ａのロータハブ２側の開口部には、ロータハブ２のディスク載置部２ｃ上に記録ディスクを保持するためのクランパ（不図示）を固定するための雄ネジが締結される。また、貫通孔４ａのカバー部材１０側の開口部には、シャフト４の外径よりも大径なフランジ状部１９ａを有するピン部材１９が装着されている。スリーブ８のカバー部材１０側の端部には大内径部が設けられており、このスリーブ８の内周面から大内径部に至る回転軸心に対して直交する方向の面とピン部材１９のフランジ部１９ａの回転軸心に対して直交する方向の面とが係合することで、ロータ６の抜止めが構成されている。
【００２９】
このように、軸受が構成される空間内にロータ６の抜止めを配置することで、例えば、スピンドルモータに外的な振動や衝撃等の外乱が加えられた場合も、後に詳述するとおり、フランジ部１９ａとスリーブ８との間には、オイルが保持されており、オイルの持つダンピング特性によって外乱による衝撃が減衰され、フランジ部１９ａ及びスリーブ８の接触時の損傷を最小限にとどめることができる。また、フランジ部１９ａとスリーブ８とが接触し、摩耗粉等のパーティクルが発生したとしても、これらパーティクルが直ちに軸受外に飛散することがない。
【００３０】
軸受部の構成
スリーブ８の上端面は、ロータハブ２の上壁部２ａの下面と軸線方向に微小間隙を介して対向し、この微小間隙中にはオイルが毛細管現象によって保持されている。この微小間隙に臨むスリーブ８の上端面の下面には、ロータ６の回転時にオイルに半径方向内方側（シャフト４側）への移動圧力を誘起するポンプイン型のスパイラル溝２０ａが形成され、スラスト軸受部２０が構成される。
【００３１】
シャフト４の外周面は、スリーブ８の内周面と半径方向に微小間隙を介して対向し、この微小間隙中にはオイルが毛細管現象によって保持されている。
【００３２】
スリーブ８には、シャフト４の外周面とスリーブ８の内周面との間に形成される微小間隙の軸線方向略中央部において開口するよう、このスリーブ８を半径方向に貫通する第１の連通孔２２が形成され、シャフト４とスリーブ８との間の微小間隙の半径方向の間隙寸法は、第１の連通孔２２を通じて侵入した空気が介在する気体介在部２３が形成される。尚、気体介在部２３の具体的な構成については、後に詳述する。
【００３３】
シャフト４の外周面とスリーブ８の内周面との間に規定される微小間隙に保持されるオイルは、この気体介在部２３によって軸線方向に分離される。
【００３４】
気体介在部２３の軸線方向上側（スラスト軸受部２０側）において、微小間隙に臨むスリーブ８の内周面には、ロータ６の回転時に、オイルに軸線方向上側（シャフト４の上端部方向）に向かう移動圧力を誘起するよう、軸線方向にアンバランスな形状を有するポンプアップ型のヘリングボーン溝２４ａが形成されており、上部ラジアル軸受部２４が構成される。また、気体介在部２３の軸線方向下側（ブラケット１４側）において、微小間隙に臨むスリーブ８の内周面には、ロータ６の回転時に、オイルにその軸線方向両端側から中央部側に向かう移動圧力を誘起するよう、軸線方向にバランスした形状を有するヘリングボーン溝２６ａが形成されており、下部ラジアル軸受部２６が構成される。
【００３５】
一対のラジアル軸受部２４，２６のうち、気体介在部２３の上部側に構成される上部ラジアル軸受部２８とこれに隣接するスラスト軸受部２０との間には連続してオイルが保持されている。上述のとおり、スラスト軸受部２０と上部ラジアル軸受部２４とは、それぞれ隣接する相手方軸受部方向に作用する移動圧力をオイルに対して誘起するため、両軸受部の境界部、すなわち、スリーブ８の内周面の上端部付近において圧力ピークを発生する。
【００３６】
つまり、スラスト軸受部２０と上部ラジアル軸受部２４とが協働することにより、ロータ６に対する半径方向に作用する軸支持力が得られると同時に、軸線方向上側（ブラケット１４に対して浮上する方向）に作用する軸線方向の軸支持力が得られる。
【００３７】
ブラケット１４には、ロータマグネット１８の下面と軸線方向に対向する位置に、強磁性材料から形成された円環状のスラストヨーク２８が配置されており、ロータ６は、このスラストヨーク２８とロータマグネット１８との間に生じる磁気吸引力によって、軸線方向下側（ブラケット１４側）に磁気的にバイアスされることとなる。このロータ６に作用する磁気力と、スラスト軸受部２０及び上部ラジアル軸受部２４とが協働することで発生するロータ６の浮上力とがバランスし、ロータ６に対して軸線方向両側への荷重が支持され、ロータ６の回転中の姿勢が安定して維持されることになる。尚、ブラケット１４にスラストヨーク２８を配置する構成に代えて、例えば、ロータマグネット１８とステータ１６の磁気的な中心を軸線方向に相互に変位するよう配置することで、ロータ６に対する磁気吸引力を発生することも可能である。
【００３８】
シール構造
シャフト４の外周面には、第１の連通孔２２のスリーブ８の内周面側開口と半径方向に対向して環状凹部が設けられている。このシャフト４の環状凹部の軸線方向両端部側は、シャフト４の環状凹部の軸線方向中央部側から上部及び下部ラジアル軸受部２４，２６側に向かって外径が漸次拡大するよう傾斜面状に形成されており、スリーブ８の内周面との間で一対のテーパ状空間が規定される。上部及び下部ラジアル軸受部２４，２６に保持されるオイルの一方の端部は、第１の連通孔２２を通じて気体介在部２３内に取り込まれた空気と接触し、気体介在部２３の各テーパ状の空間内でそれぞれ界面が形成されている。
【００３９】
ピン部材１９のフランジ部１９ａの外周面は、外径がカバー部材１０側に向かうにしたがって縮径するよう傾斜面状に形成されており、このフランジ部１９ａの傾斜面状の外周面とスリーブ８の大内径部の内周面との間で、テーパ状の空間が形成されている。このフランジ部１９ａの傾斜面状の外周面とスリーブ８の大内径部の内周面との間に規定されるテーパ状の空間は、スリーブ８の下端面とカバー部材１０との間並びにスリーブ８の外周面とブラケット１４の円筒部１２の内周面との間に規定された第２の連通孔２５を通じて外気に連通している。
【００４０】
下部ラジアル軸受部２６に保持されるオイルは、抜止めを構成する、スリーブ８の内周面から大内径部に至る回転軸心に対して直交する方向の面とピン部材１９のフランジ部１９ａの回転軸心に対して直交する方向の面その間に形成される隙間を経て、フランジ部１９ａの傾斜面状の外周面とスリーブ８の大内径部の内周面との間に規定されるテーパ状の空間内で空気と接触し、界面が形成されている。すなわち、下部ラジアル軸受部２６に保持されるオイルは、気体介在部２３の下部ラジアル軸受部２６側に規定されるテーパ状の空間内に位置する界面からフランジ部１９ａの傾斜面状の外周面とスリーブ８の大内径部の内周面との間に規定されるテーパ状の空間内に位置する界面まで連続している。
【００４１】
従って、下部ラジアル軸受部２６に保持されるオイルに対しては、気体介在部２３の下部ラジアル軸受部２６側に規定されるテーパ状の空間内側の界面とフランジ部１９ａの傾斜面状の外周面側の界面に作用する圧力がバランスすることによって軸受部内に押し止めようとする力が生じる。よって、下部ラジアル軸受部２６において、オイルの保持量が減少した場合には、毛細管力によって、気体介在部２３の下部ラジアル軸受部２６側に規定されるテーパ状の空間内とフランジ部１９ａの傾斜面状の外周面とスリーブ８の大内径部の内周面との間に規定されるテーパ状の空間内に保持されていたオイルとが、下部ラジアル軸受部２６側へと供給されることとなる。逆に、下部ラジアル軸受部２６で保持されるオイルが温度上昇等によって体積膨張した場合、オイルの界面が、気体介在部２３の下部ラジアル軸受部２６側に規定されるテーパ状の空間内並びにフランジ部１９ａの傾斜面状の外周面とスリーブ８の大内径部の内周面との間に規定されるテーパ状の空間内のより隙間寸法が拡大する方向に移動することで、この体積増加した分のオイルが収容されることとなる。
【００４２】
次にスラスト軸受部２０で保持されるオイルの界面が位置するテーパシール部３０について、図３を参照して説明する。図３は、テーパシール部３０の概略構造を図示するために、図２の一部を部分的に拡大した部分拡大断面図である。
【００４３】
図３において、上部ラジアル軸受部２４の外周側にあたるスリーブ８の外周面は、その外径がブラケット１４側に向かうにしたがって、つまりスラスト軸受部２０を構成するスリーブ８の上端面から遠離るにつれて縮径するよう、傾斜面８ａが形成されている。また、スリーブ８の外周面には、この傾斜面８ａに連続する垂直面８ｂ１とこの垂直面８ｂ１に直交し且つ連続する平坦面８ｂ２とからなる円環状の段部８ｂが設けられており、第１の連通孔２２は、この段部８ｂ内においてスリーブ８の外周面側開口部が開口している。
【００４４】
また、ロータハブ２の上壁部２ａの下面には、スリーブ８の上端面側の外径よりも僅かに大径な内周面を有する環状突起２ｄ（円筒壁）が設けられており、スリーブ８の段部８ｂの内部に、ブラケット１４の円筒部１２の内周面並びに段部８ｂの平坦面８ｂ２と非接触で収容されている。環状突起２ｄの内周面には、内周面がスリーブ８の傾斜面８ａと非接触で半径方向に対向し且つ傾斜面８ａとの間に形成される間隙の隙間寸法がブラケット１４側に向かうにしたがって、つまりスラスト軸受部２０を構成するロータハブ２の上壁部２ａの下面から遠離るにつれて縮径するよう、傾斜面３２ａが形成されたリング状部材３２が、例えば接着あるいは圧入等の手段によって固着されている。尚、図３に図示するとおり、環状突起２ｂの内周側に突当て面２ｂ１を設けておき、この突当て面２ｂ１とリング状部材３２の上端部とを当接させることで、リング状部材３２の軸線方向の位置決めが容易になる。また、リング状部材３２は、環状突起２ｄと共に、スリーブ８の外周面に設けられた段部８ｂの内部に平坦面８ｂ２と非接触で収容されている。
【００４５】
スラスト軸受部２０に保持されるオイルは、スリーブ８の外周面に設けられた傾斜面８ａとリング状部材３２の内周面に設けられた傾斜面３２ａとの間に形成された、ブラケット１４側に向かうにしたがって隙間寸法が漸次拡大するテーパ状の間隙内において、空気との界面を形成して保持されている。つまり、スリーブ８の外周面に設けられた傾斜面８ａとリング状部材３２の内周面に設けられた傾斜面３２ａとの間に形成されたテーパ状の間隙によってテーパシール部３０が構成されている。
【００４６】
従って、スラスト軸受部２０と上部ラジアル軸受部２４との間で連続して保持されるオイルは、スラスト軸受部２０側の端部がテーパシール部３０内で、また上部ラジアル軸受部２４側の端部が気体介在部２３の上部ラジアル軸受部２４側の端部に形成されたテーパ状の空間内で、各界面に作用する圧力がバランスする位置で保持されている。
【００４７】
この場合、スリーブ８の外周面に設けられた傾斜面８ａの傾斜角は、回転軸心に対して約２０度乃至３５度、好ましくは約２６度乃至３３度の範囲に設定され、またリング状部材３２の傾斜面３２ａの傾斜角は、回転軸心に対して約１５度乃至３０度、好ましくは約２０度乃至２７度の範囲に設定されている。更に、これらスリーブ８の外周面に設けられた傾斜面８ａとリング状部３２材の内周面に設けられた傾斜面３２ａとの間に形成されるテーパシール部３０のテーパ角は、約２度乃至１５度、好ましくは約５度乃至１０度の範囲に設定されている。
【００４８】
上記のとおり、テーパシール部３０を構成するスリーブ８の外周面に設けられた傾斜面８ａとリング状部材３２の傾斜面３２ａの傾斜角とが、回転軸心に対してそれぞれ異なる傾斜角を有することで、テーパシール部３０自体も半径方向内方側に向かって傾斜した構成となる。
【００４９】
このとき、テーパシール部３０からスラスト軸受部２０に至る間隙の最小の間隙寸法は、スラスト軸受部２０で発生した動圧によってロータ６が浮上した際に生じるスラスト軸受部２０における微小間隙の軸線方向の隙間寸法よりも小さくなるよう設定されている。テーパシール部３０側の間隙とスラスト軸受部２０の微小間隙との隙間寸法の関係を上記のとおり設定することによって、軸受部とシール部との間のオイルの流通が円滑に行われることとなる。
【００５０】
すなわち、スラスト軸受部２０から上部ラジアル軸受部２４に保持されるオイルに対しては、テーパシール部３０側の界面と気体介在部２３の上部ラジアル軸受部２４側の端部に形成されたテーパ状の空間側の界面とに作用する圧力がバランスすることによって軸受部内に押し止めようとする力が生じる。従って、スラスト軸受部２０又は上部ラジアル軸受部２４において、オイルの保持量が減少した場合には、毛細管力によって、テーパシール部３０内並びに気体介在部２３の上部ラジアル軸受部２４側の端部に形成されたテーパ状の空間内に保持されているオイルが、スラスト軸受部２０側並びに上部ラジアル軸受部２４側へと供給されることとなる。逆に、スラスト軸受部２０又は上部ラジアル軸受部２４で保持されるオイルが温度上昇等によって体積膨張した場合、オイルの界面が、テーパシール部３０並びに気体介在部２３の上部ラジアル軸受部２４側の端部に形成されたテーパ状の空間内のより隙間寸法が拡大する方向に移動することで、この体積増加した分のオイルがテーパシール部内に収容されることとなる。
【００５１】
また、テーパシール部３０が回転軸心に対して傾斜して構成されるため、オイルの界面も、テーパシール部３０の回転軸心に対する傾斜角に応じて半径方向内方を向いて形成される。従って、ロータ６の回転時には、遠心力によってオイルの界面がテーパシール部３０の奥側、すなわちスラスト軸受部２０側に押圧されるので、シール強度が強化される。従って、高速回転するスピンドルモータにおいても、テーパシール部３０からの潤滑油８の流出が阻止される。
【００５２】
更に、テーパシール部３０が回転軸心に対して傾斜するよう構成することで、例えば薄型のスピンドルモータにおいても、回転軸心と平行にシール部を構成する場合に比べて、シール部として機能するテーパ状の間隙を長くとることが可能となりテーパシール部３０の容積が増大する。このため、スピンドルモータの高速回転化によってテーパシール部３０内へのオイルの流入量が増加しても、これに追随してオイルを保持することが可能なる。
【００５３】
すなわち、上記の構成によって、ラジアル軸受部２４，２６の外周部にテーパシール部３０を配置することで、テーパシール部３０がスラスト軸受部２２やラジアル軸受部２４，２６といった軸受部と軸線方向に重ならず、スピンドルモータの薄型化を可能にする構成を維持しつつも、テーパシール部３０を回転軸心に対して傾斜した形状とすることで、回転軸線と平行又は直交する方向にテーパシール部を構成する場合に比べて、シール部として機能するテーパ状の空間を長くしてテーパシール部内の容積を増大することができる。また、オイルの界面が回転軸心に対して傾斜する方向に向いた状態に形成されることとなるので、回転時には、遠心力が潤滑油の界面を押さえ込む方向に作用するようになり、シール強度も高く維持される。
【００５４】
また、上記構成によって、テーパシール部３０をスリーブ８の外周面に形成した傾斜面８ａと、環状突起２ｄの内周面に固着されるリング状部材３２の内周面に形成した傾斜面３２ａとによって構成することで、複雑な形状を有するロータハブ２側の加工が容易になり、モータを低コスト化することが可能になる。
【００５５】
更に上記構成では、ロータハブ２とシャフト４とを別部材から形成する構成となっており、このような場合に、スリーブ８内にシャフト４を挿入する前にロータハブ２とシャフト４とを締結することができ、ロータハブ２に対するシャフト４の直角度等の組立精度を良好に保つことが可能になる。従って、ロータハブ２とシャフト４との組立不良に起因するＲＲＯ（繰り返し性振れ成分）の悪化が抑制される。
【００５６】
（２）実施形態
スピンドルモータの構成
本発明の実施形態に係るスピンドルモータに関して、図４及び図５を参照して説明する。
【００５７】
図４に図示するスピンドルモータは、略円板状の上壁部１０２ａ（天板）と、この上壁部１０２ａの外周縁部から下方に垂下する円筒状周壁部１０２ｂ（円筒壁）とから構成されるロータハブ１０２と、このロータハブ１０２の上壁部１０２ａの中央部に一方の端部が外嵌固定されるシャフト１０４とから構成されるロータ１０６と、このシャフト１０４を回転自在に支持する中空円筒状のスリーブ１０８と、このスリーブ１０８の下部を閉塞しシャフト１０４の自由端部側端面と対向するカバー部材１１０と、スリーブ１０８が内嵌される円筒部１１２が一体的に形成されたブラケット１１４とを具備する。
【００５８】
ブラケット１１４には円筒部１１２を中心とした略椀状の形状を有しており、この椀状をなす周壁の内周面１１３には、半径方向内方に突設される複数のティースを有するステータ１１６が配設され、また、ロータハブ１０２の周壁部１０２ｂの外周面には、このステータ１１６と半径方向内方から間隙を介して対向するよう、ロータマグネット１１８が固着される。
【００５９】
また、ロータハブ１０２の周壁部１０２ｂの外周面には、ハードディスク等の記録ディスク（図７においてディスク板５３として図示する）が載置されるフランジ状のディスク載置部１０２ｃが設けられている。
【００６０】
シャフト１０４には、これを貫通する貫通孔１０４ａが回転軸心と同軸状に形成されている。この貫通孔１０４ａのロータハブ１０２側の開口部には、ロータハブ１０２のディスク載置部１０２ｃ上に記録ディスクを保持するためのクランパ（不図示）を固定するための雄ネジ（不図示）が締結される。また、貫通孔１０４ａのカバー部材１１０側の開口部には、シャフト１０４の外径よりも大径なフランジ状部１１９ａを有するピン部材１１９が装着されている。スリーブ１０８のカバー部材１１０側の端部には大内径部が設けられており、このスリーブ１０８の内周面から大内径部に至る回転軸心に対して直交する方向の面とピン部材１１９のフランジ部１１９ａの回転軸心に対して直交する方向の面とが係合することで、ロータ１０６の抜止めが構成されている。
【００６１】
軸受部の構成
スリーブ１０８の上端面とロータハブ１０２の上壁部１０２ａの下面との間、ロータハブ１０２の上壁部１０２ａに続くシャフト１０４の外周面とスリーブ１０８の内周面との間及びこれに連続するスリーブ１０８の大内径部とピン部材１１９のフランジ部１１９ａとの間及びカバー部材１１０の内面とこれと軸線方向に対向するピン部材１１９の端面との間には、一連の微小間隙が形成されており、この微小間隙中にはオイルが途切れることなく連続して保持されている（このような構成を以下「フルフィル構造」と記載する）。
【００６２】
スリーブ１０８の内周面には、スリーブ１０８の上端面側（ロータハブ１０２側）に、ロータ１０６の回転時にオイルに流体動圧を誘起する、回転方向に対して相反する方向に傾斜する一対のスパイラル溝を連結して構成される略「く」の字状のヘリングボーングルーブ１２２ａが形成されており、シャフト１０４の外周面との間で上部ラジアル動圧軸受部１２２が構成される。
【００６３】
また、スリーブ１０８の内周面には、シャフト１０４の自由端部側（カバー部材１１０側）に、ロータ１０６の回転時にオイルに流体動圧を誘起する、回転方向に対して相反する方向に傾斜する一対のスパイラル溝を連結して構成される略「く」の字状のヘリングボーングルーブ１２４ａが形成されており、シャフト１０４の外周面との間で下部ラジアル動圧軸受部１２４が構成される。
【００６４】
尚、上部及び下部ラジアル動圧軸受部１２２，１２４に形成されるヘリングボーングルーブ１２２ａ，１２４ａは、各スパイラルグルーブが実質的に同等のポンピング力を発生するよう、軸線方向の寸法、回転方向に対する傾斜角あるいは溝幅や深さといった溝諸元が同一となるよう設定される、つまり、各スパイラルグルーブが連結部に対して線対称になるよう設定されている。従って、上部及び下部ラジアル動圧軸受部１２２，１２４では、軸受部の軸線方向中央部（各スパイラルグルーブの連結部）において最大動圧が現れ、各スパイラルグルーブによるポンピングが軸線方向いずれかの方向に対してアンバランスとなり、オイルに軸線方向の流動が発生することはない。
【００６５】
更に、スリーブ１０８の上端面（上壁部１０２ａと軸線方向に対向する面）には、ロータ１０６の回転時にオイルに対して半径方向内方（シャフト１０４側）に向かう圧力を誘起するポンプインのスパイラルグルーブ１２６ａが形成されており、ロータハブ１０２の上壁部１０２ａの下面との間でスラスト軸受部１２６が構成される。
【００６６】
また、カバー部材１１０の内面とこれと軸線方向に対向するピン部材１１９の端面との間には、後に詳述するとおり、スラスト軸受部１２６のスパイラルグルーブ１２６ａによって高められたオイルの内圧を利用する、静圧軸受部１２８が構成される。
【００６７】
上記のとおり構成された各軸受部による軸支持方法について詳述する。
【００６８】
上部及び下部ラジアル動圧軸受１２２，１２４では、ロータ１０６の回転にともない、ヘリングボーングルーブ１２２ａ，１２４ａによるポンピング力が高まり、流体動圧が生じる。上部及び下部ラジアル動圧軸受部１２２，１２４における圧力分布は、ヘリングボーングルーブ１２２ａ，１２４ａの両端側から急激に高まり、各スパイラルグルーブの連結部において極大となる。この上部及び下部ラジアル動圧軸受部１２２，１２４で発生する流体動圧を用いて、シャフト１０４が軸線方向上下部から軸支持され、シャフト１０４の調心作用及び倒れに対する復元作用を担っている。
【００６９】
スラスト軸受部１２６では、ロータ１０６の回転にともない、ポンプインのスパイラルグルーブ１２６ａによって、オイルに半径方向内方に向かう圧力が誘起される。この半径方向内方に向かう圧力によって、オイルの流動が促され、オイルの内圧が高められ、ロータ１０６の浮上方向に作用する流体動圧が発生する。尚、スラスト軸受部１２６で誘起される流体動圧は、上部及び下部ラジアル動圧軸受部１２２，１２４のように急激に高まることはなく、最大でも大気圧を幾分上回る程度である。
【００７０】
スラスト軸受部１２６で発生する圧力によって、ロータハブ１０２の上壁部１０２ａに続くシャフト１０４の外周面とスリーブ１０８の内周面との間及びこれに連続するシャフト１０４の端面とカバー部材１１０の内面との間に保持されているオイルは、圧力的に実質上密封された状態となり、また、上部及び下部ラジアル動圧軸受部１２２，１２４に形成されるヘリングボーングルーブ１２２ａ，１２４ａを軸線方向に対称な形状とし、発生する動圧を軸線方向にバランスした状態とすることで、上述のとおりオイルに軸線方向の流動が誘起されることがない。これにより、シャフト１０４の外周面とスリーブ１０８の内周面との間及びこれに連続するシャフト１０４の端面とカバー部材１１０の内面との間に保持されるオイルの内圧は、上部及び下部ラジアル動圧軸受部１２２，１２４で発生する流体動圧の干渉を受けることなく、このスラスト軸受部１２６に保持されるオイルの内圧とバランスする。
【００７１】
上記参考例では、軸受部に保持されるオイルの各端部が空気に露出する構成をとっていた（このような構成を以下「パーシャルフィル構造」と記載する）。このパーシャルフィル構造は、オイルの一方の端部から他方の端部までの間で圧力が極大となる領域を一箇所のみとし、両端部側に向かって漸次低圧となるよう各軸受部の動圧発生溝を形成並びに配置することで、オイル内に混入した気泡を自動的に排出可能とする構成であり、軸受部によるオイルの内圧や流動の制御が及びにくい領域にオイルを保持しないようにすることで、軸受部内から不安定要素を排除し、安定した軸受性能を得ることが可能になる。しかしなが、シール部として機能するテーパ状の間隙を形成するための傾斜面を数多く設けなければならず、また連通孔として機能する構成（例えば、上記第１の実施形態における第１及び第２の連通孔２２，２５の如き構成）が必要となるため、軸受を構成する部材の加工が煩雑になり軸受並びにこれを用いたスピンドルモータの製造コストの低減を阻害する懸念がある。
【００７２】
これに対し本発明の実施形態では、各軸受部を上記のとおり構成することで、軸受内に保持されるオイルのいずれの領域においても、スラスト軸受部１２６に保持されるオイルの内圧と同等となり、これら微小間隙中に保持されるオイルにおいて内圧が大気圧以下となる負圧が発生することはない。よって、負圧に起因する気泡の問題が解消される。従って、軸受軸受をフルフィル構造とすることが可能となり、構造を簡略化して製造コストを抑制することができる。
【００７３】
尚、上記のとおり、スラスト軸受部１２６で発生する圧力は、大気圧を幾分上回る程度であり、これのみでロータ６を十分に浮上させるのは困難である。しかしながら、上述のとおりシャフト４の自由端部側端面とシールキャップ１０の内面との間に構成される静圧軸受部２８に保持されたオイルの内圧も、スラスト軸受部２６で誘起される流体動圧によって高められたオイルの内圧と同等の圧力となるので、スラスト軸受部２６と静圧軸受部２８との協働によって、ロータ６を十分に浮上させることが可能となる。
【００７４】
また、図４において図示されるように、ブラケット１１４のロータマグネット１１８との対向位置に強磁性材からなる環状のスラストヨーク１２９を配置し、ロータマグネット１１８とスラストヨーク１２９との間で軸線方向の磁気吸引力を発生させることで、スラスト軸受部１２６及び静圧軸受部１２８で発生するロータ１０６の浮上圧とバランスさせて、ロータ１０６のスラスト方向の支持を安定させ、ロータ１０６が必要以上に浮上する過浮上の発生を抑制している。このようなロータ１０６に対する磁気的な付勢は、例えば、ステータ１１６とロータマグネット１１８との磁気的中心を軸線方向に相違させることによっても作用させることが可能である。
【００７５】
シール部の構成
次にスラスト軸受部１２６で保持されるオイルの界面が位置するテーパシール部１３０について、図５を参照して説明する。図５は、テーパシール部１３０の概略構造を図示するために、図４の一部を部分的に拡大した部分拡大断面図であり、基本的な構成は、上記参考例におけるテーパシール部３０と同様であり、説明は省略する。
【００７６】
図５において、ラジアル軸受部１２２，１２４の外周側にあたるスリーブ１０８の外周面は、その外径がブラケット１１４側に向かうにしたがって、つまりスラスト軸受部１２６を構成するスリーブ１０８の上端面から遠離るにつれて縮径するよう、傾斜面１０８ａが形成されている。尚、本発明の実施形態においては、スリーブ１０８の構成上、上記参考例における段部の如き構成は有していない。
【００７７】
また、ロータハブ１０２の周壁部１０２ｂの内周面には、内周面がスリーブ１０８の傾斜面１０８ａと非接触で半径方向に対向し且つ傾斜面１０８ａとの間に形成される間隙の隙間寸法がブラケット１１４側に向かうにしたがって、つまりスラスト軸受部１２６を構成するロータハブ１０２の上壁部１０２ａの下面から遠離るにつれて縮径するよう、傾斜面１３２ａが形成されたリング状部材１３２が、例えば接着あるいは圧入等の手段によって固着されている。尚、図５に図示するとおり、周壁部１０２ｂの内周側に突当て面１０２ｂ１を設けておき、この突当て面１０２ｂ１とリング状部材１３２の上端部とを当接させることで、リング状部材１３２の軸線方向の位置決めが容易になる。
【００７８】
スラスト軸受部１２６に保持されるオイルは、スリーブ１０８の外周面に設けられた傾斜面１０８ａとリング状部材１３２の内周面に設けられた傾斜面１３２ａとの間に形成された、ブラケット１１４側に向かうにしたがって隙間寸法が漸次拡大するテーパ状の間隙内において、空気との界面を形成して保持されている。つまり、スリーブ１０８の外周面に設けられた傾斜面１０８ａとリング状部材１３２の内周面に設けられた傾斜面１３２ａとの間に形成されたテーパ状の間隙によってテーパシール部１３０が構成されている。
【００７９】
上記のとおり構成される本発明の実施形態におけるテーパシール部１３０によっても、参考例におけるテーパシール部３０と同様に、テーパシール部１３０を構成するスリーブ１０８側の傾斜面１０８ａとリング状部材１３２側の傾斜面１３２ａとがそれぞれ異なる傾斜角を有しており、テーパシール部１３０が回転軸心に対して傾斜して構成されていることから、参考例におけるテーパシール部３０と同様の作用効果を奏することが可能になる。
【００８０】
尚、上記したとおり、この本発明の実施形態におけるスピンドルモータの軸受部は、フルフィル構造であることから、軸受内に保持されるオイルは、このテーパシール部１３０内においてのみ外気に露出しており、テーパシール部１３０以外の軸受空間は全てオイルで満たされている。
【００８１】
つまり、上記参考例におけるような必要箇所にのみオイルを保持するパーシャルフィル構造の動圧軸受に比べて、軸受内の全体にわたってオイルが保持されるフルフィル構造の動圧軸受は、当然にオイルの保持量が多くなるが、軸受内に保持されるオイルの量が多いということは、それだけ温度上昇等により体積増加するオイルの量が多くなる。
【００８２】
しかしながら、テーパシール部を、軸受部よりも外径側に配置して大径とし、またシール部として機能するテーパ状の間隙を長くとることが可能な構成とすることで、このようにオイルの保持量が多いフルフィル構造の動圧軸受では、シール部内の容積が大きく且つシール強度の高いテーパシール部１３０の構成は特に有利である。
【００８３】
従って、上記本発明の実施形態の構成では、スラスト動圧軸受を構成するスラストプレートを要しないという簡略且つ低コスト化可能な構造並びに所望の軸受剛性を維持しつつ、フルフィル構造化することで、更なる薄型化並びに低コスト化が可能となると共に、高速回転への対応も可能となる。
【００８４】
（３）本発明の実施形態の変形例
次に図６を参照して、図４に図示する本発明の実施形態の変形例について説明する。尚、図６に図示するスピンドルモータは、ロータの構成以外は図４に図示するスピンドルモータと同様であり、同一の構成を有する部位については同じ番号を付し説明は省略する。
【００８５】
スピンドルモータの薄型化のためにロータハブを薄肉化すると、シャフトとの接触面積が減少して締結強度が不足してしまう。このため、シャフトの倒れ（傾き）や脱落が発生し、信頼性を損なう懸念がある。このため、薄型のスピンドルモータの場合、シャフトとロータとは同一の部材から一体成形するのが望ましい。しかしながら、シャフトとロータとを一体成形することで、ラジアル軸受部を構成するシャフトの外周面の表面加工精度が低下する。
【００８６】
これを改善するために、図６におけるスピンドルモータでは、ロータハブ１０２’の上壁部１０２ａ’の中央部にシャフト１０４’が一体に形成されロータ１０６’が構成されていると共に、このシャフト１０４’の外周面に円筒状の外筒部材１０５が装着されている。すなわち、ロータハブ１０２’とシャフト１０４’とを一体成形することで、ロータハブとシャフトとの締結強度の不足や組立不良に起因する問題を排除し、高精度な表面加工が可能な外筒部材１０５をシャフト１０４’に装着することで、この外筒部材１０５の外周面とスリーブ１０８の内周面との間にラジアル軸受部１２２，１２４が構成されている。
【００８７】
また、シャフト１０４’の外周面と外筒部材１０５の内周面との間には、シャフト１０４’の外周面と外筒部材１０５の内周面との間を軸線方向上端部から下端部にわたって連続し且つ上部ラジアル軸受部１２２の軸線方向上端部（スラスト軸受部１２６側端部）と下部ラジアル軸受部１２４の軸線方向下端部（ピン部材１１９側端部）に連通する連通孔１０７がが形成されている。尚、この連通孔１０７は、図６においてその一部を図示するとおり、シャフト１０４’の外周面に螺旋状の溝を設けておき、シャフト１０４’の外周面に外筒部材１０５を装着することによって形成される。また、連通孔１０７内には、軸受部に保持されるオイルに連続してオイルが保持されており、また、連通孔１０７内に保持されるオイルの内圧は、各軸受部に保持されるオイルの内圧とバランスしている。尚、連通孔１０７を構成する螺旋状の溝は、外筒部材１０５の内周面側に設けることも可能である。
【００８８】
上部及び下部ラジアル動圧軸受部１２２，１２４が構成されるスリーブ１０８の内周面と外筒部材１０５の外周面との間に形成される微小間隙が所定の寸法を維持している場合、各軸受部に保持されるオイルの内圧と連通孔１０７内に保持されるオイルの内圧とがバランスしていることから、連通孔１０７を通じてスラスト軸受部１２６と静圧軸受部１２８との間でオイルの流通が生じることはない。
【００８９】
しかし、スリーブ１０８の内周面又は外筒部材１０５の外周面の加工誤差によって、あるいはシャフト１０４’に設けられた雌ネジ孔１０４ａ’に雄ネジが締結される際に生じる締結応力の影響で、スリーブ１０８の内周面と外筒部材１０５の外周面との間に形成される微小間隙が、その軸線方向上端部側と下端部側とで隙間寸法に変化が生じた場合、上部及び下部ラジアル動圧軸受部１２２，１２４のいずれかで、本来軸線方向に対称な圧力勾配の流体動圧を発生するヘリングボーングルーブ１２２ａ，１２４ａによるポンピングにアンバランスが生じ、その結果オイルに対して軸線方向の流動が誘起されることとなる。スリーブ１０８の内周面と外筒部材１０５の外周面との間に形成される微小間隙の軸線方向上端部側と下端部側、すなわちスラスト軸受部１２６と静圧軸受部１２８との間で、オイルの内圧に差異が生じることとなる。このオイルの内圧の差を放置しておくと、オイルが軸線方向下端部側から上端部側へ流動する場合は、静圧軸受部１２８で負圧が発生し、また、オイルが軸線方向上端部側から下端部側へと流動する場合は、静圧軸受部１２８でオイルの内圧が必要以上に高まり、ロータ１０６’の過浮上が発生する。
【００９０】
これに対し、上部及び下部ラジアル軸受部１２２，１２４が構成されるスリーブ１０８の内周面と外筒部材１０５の外周面との間に形成される微小間隙の軸線方向上下端部を連続し且つ軸受内に保持されるオイルに連続してオイルが流通可能に保持されるする連通孔１０７を設けることで、上記オイルに軸線方向の流動が誘起され、スリーブ１０８の内周面と外筒部材１０５の外周面との間に形成される微小間隙の軸線方向上端部側と下端部側とでオイルの内圧に差異が生じても、連通孔１０７を通じて、内圧の高い側から低い側へのオイルの流動が生じるため、各軸受部に保持されるオイルの内圧が均一化され、負圧や過浮上の発生が防止される。
【００９１】
（４）ディスク駆動装置の構成
図７に、一般的なディスク駆動装置５０の内部構成を模式図として示す。ハウジング５１の内部は塵・埃等が極度に少ないクリーンな空間を形成しており、その内部に情報を記憶する円板状のディスク板５３が装着されたスピンドルモータ５２が設置されている。加えてハウジング５１の内部には、ディスク板５３に対して情報を読み書きするヘッド移動機構５７が配置され、このヘッド移動機構５７は、ディスク板５３上の情報を読み書きするヘッド５６、このヘッドを支えるアーム５５及びヘッド５６及びアーム５５をディスク板５３上の所要の位置に移動させるアクチュエータ部５４により構成される。
【００９２】
このようなディスク駆動装置５０のスピンドルモータ５２として上記各実施形態のスピンドルモータを使用することで、ディスク駆動装置５０の薄型化並びに低コスト化を可能にすると同時に、スピンドルモータの高速化が可能になることで、さらなるディスクの高容量化並びにシークタイムの短縮に対応することができる。
【００９３】
また、上記各実施形態におけるスピンドルモータは、構造を簡略化し、小型化並びに薄型化が可能であるので、外径が１．８インチ以下の記録ディスクを回転するディスク駆動装置５０に好適に使用することが可能であるが、勿論、外径が２．５インチの記録ディスクを駆動するディスク駆動装置５０にも適用可能である。
【００９４】
以上、本発明に従うスピンドルモータ並びにディスク駆動装置の一実施形態について説明したが、本発明は係る実施形態に限定されるものではなく、本発明の範囲を逸脱することなく種々の変形乃至修正が可能である。
【００９５】
例えば、スラスト軸受部に設けられる、オイルに対して半径方向内方に作用する圧力を発生する手段としては、上記実施形態において説明したポンプインタイプのスパイラルグルーブに代えて、半径方向にアンバランスな形状を有するヘリングボーングルーブとすることも可能である。
【００９６】
スラスト軸受部に半径方向にアンバランスな形状のヘリングボーングルーブを設けた場合、ヘリングボーングルーブを構成する一対のスパイラルグルーブのうち、半径方向外方側に位置するスパイラルグルーブを半径方向内方側に位置するスパイラルグルーブよりも発生するポンピング力が大となるよう、半径方向の寸法、回転方向に対する傾斜角あるいは溝幅や深さといった溝諸元が設定される。この半径方向外方側に位置するスパイラルグルーブのポンピング力と半径方向内方側に位置するスパイラルグルーブのポンピング力とのアンバランス量がオイルに対して付与される半径方向内方に作用する圧力となり、上記ポンプインタイプのスパイラルグルーブの場合と同様に、スラスト軸受部に保持されるオイルの内圧が高められる。
【００９７】
尚、スラスト軸受部に上記ヘリングボーングルーブを設けた場合、ロータに対して付与する浮上力がスパイラルグルーブで発生する浮上力よりも高くなるので、スラスト軸受部による荷重支持力が向上する反面、静圧軸受部で発生する浮上力と相俟って、ロータの過浮上が発生する懸念がある。従って、ロータに対して付与する磁気的な付勢力によって、これを制御する必要がある。
【００９８】
また、各軸受部に設けられる動圧発生溝は、必ずしもスリーブ側に設ける必要はない。
【００９９】
【発明の効果】
本発明の請求項１のスピンドルモータでは、スピンドルモータの薄型化を可能にする構成を維持しつつも、テーパシール部を回転軸心に対して傾斜した形状とすることで、テーパシール部内の容積を増大することができ、またシール強度を強化することが可能になる。
【０１００】
【０１０１】
【０１０２】
本発明の請求項２のスピンドルモータでは、軸受部の構成を簡略化し、加工を容易化することで、製造コストを削減することが可能になる。
【０１０３】
本発明の請求項３のスピンドルモータでは、オイル内圧のアンバランスに起因するオイル内での負圧領域の発生や、ロータの過浮上を防止することが可能となる。
【０１０４】
本発明の請求項４のスピンドルモータでは、ロータの回転を安定して支持することが可能となる。
【０１０５】
本発明の請求項５のスピンドルモータでは、外乱による衝撃を減衰することが可能になると共に、抜止め部の接触で発生するパーティクルの問題を排除することが可能になる。
【０１０６】
本発明の請求項６のディスク駆動装置では、薄型化並びに低コスト化を可能にすると同時に、スピンドルモータの高速化が可能になることで、さらなるディスクの高容量化並びにシークタイムの短縮に対応することが可能になる。
【０１０７】
本発明の請求項７のディスク駆動装置では、スピンドルモータの小型化並びに薄型化が可能であることから、外径が１．８インチ以下の小径な記録ディスクを駆動するディスク駆動装置として適用可能である。
【図面の簡単な説明】
【図１】従来のスピンドルモータの概略構成を示す断面図である。
【図２】参考例に係るスピンドルモータの概略構成を示す断面図である。
【図３】図２に図示するスピンドルモータの一部を拡大して図示する、部分拡大断面図である。
【図４】本発明の実施形態に係るスピンドルモータの概略構成を示す断面図である。
【図５】図４に図示するスピンドルモータの一部を拡大して図示する、部分拡大断面図である。
【図６】図４に図示する本発明の実施形態に係るスピンドルモータの変形例の概略構成を示す断面図である。
【図７】ディスク駆動装置の内部構成を模式的に示す断面図である。
【符号の説明】
２ａ，１０２ａ，１０２ａ’ 上壁部（天板）
２ｄ 環状突起（円筒壁）
４，１０４，１０４’ シャフト
６，１０６、１０６’ ロータ
８，１０８ スリーブ
２０，１２６ スラスト軸受部
２４，２６，１２２，１２４ ラジアル動圧軸受部
３０，１３０ テーパシール部
１０２ｂ 周壁部（円筒壁）
【図１】
0003828452.tif 000002
【図２】
0003828452.tif 000003
【図３】
0003828452.tif 000004
【図４】
0003828452.tif 000005
【図５】
0003828452.tif 000006
【図６】
0003828452.tif 000007
【図７】
0003828452.tif 000008